(57)【要約】【課題】  画像提示を伴うプレゼンテーション用コンテンツを簡単に作成することができるツールを提供する。【解決手段】  資料提示装置１０１の資料載置台１０４上に載置した資料を撮像装置１０２によって撮像し、その撮像画像をスクリーン１４２に投影しながら、プレゼンテーションを行うことが可能なシステムにおいて、プレゼンテーション時にスクリーンに投影した画像のリアルタイムデータと音声説明のリアルタイムデータとをプレゼンテーション内容データとして、コンテンツ作成装置１２０に記録する。このプレゼンテーション内容データを１次データとして、それをそのまま再生させながら、再度プレゼンテーションを再現し、その際に適時資料提示装置１０１を操作して、その内容を編集する。このプレゼンテーションの再演を兼ねた編集作業を繰り返すことで、質の高いプレゼンテーション用コンテンツを容易に作成することができる。【選択図】  図１
2006229592.tif 000002
【特許請求の範囲】
【請求項１】
コンテンツ内容データを記憶する記憶手段と、
前記コンテンツ内容データを前記記憶手段から読み出すデータ読み出し手段と
を備え、
前記コンテンツ内容データは、画像／音声出力装置から出力される画像データおよび／または音声データのリアルタイムデータを含んでいることを特徴とするコンテンツ作成装置。
【請求項２】
前記画像／音声出力装置は、資料提示装置またはコンピュータであることを特徴とする請求項１に記載のコンテンツ作成装置。
【請求項３】
前記画像データおよび／または前記音声データを編集する編集手段を更に備え、
前記編集手段による編集作業において、
前記記憶手段から読み出したコンテンツ内容データは、前記画像／音声出力装置に送られ、
この画像／音声出力装置に送られたコンテンツ内容データは、前記画像／音声出力装置を用いて再生され、
この再生されたコンテンツ内容データは、前記編集手段に入力されて前記再生と同時に前記編集の処理が加えられ、
この編集の処理は、前記画像／音声出力装置から送信されてくる制御信号によって制御されることを特徴とする請求項１または２に記載のコンテンツ作成装置。
【請求項４】
前記編集されたコンテンツ内容データは、前記編集と同時に前記記憶手段に記憶されることを特徴とする請求項３に記載のコンテンツ作成装置。
【請求項５】
前記記憶されるコンテンツ内容データには、固有のインデックス番号が付与されることを特徴とする請求項４に記載のコンテンツ作成装置。
【請求項６】
前記画像／音声出力装置を用いた説明内容の画像および音声を含んだデータを前記コンテンツ内容データとして受信することを特徴とする請求項１〜５のいずれかに記載のコンテンツ作成装置。
【請求項７】
前記コンテンツ内容データをネットワークに出力する出力ポート、または前記コンテンツ内容データを外部メモリに出力する出力ポートを備えることを特徴とする請求項１〜６のいずれかに記載のコンテンツ作成装置。
【請求項８】
前記記憶手段は、ハードディスク装置であり、このハードディスク装置が取り外し可能であることを特徴とする請求項１〜７のいずれかに記載のコンテンツ作成装置。
【請求項９】
前記コンテンツ内容データには、ポインティングデバイスによるポインティングデータおよび／またはペン入力デバイスによる軌跡入力データが含まれていることを特徴とする請求項１〜８のいずれかに記載のコンテンツ作成装置。
【請求項１０】
前記請求項１〜９に記載のコンテンツ作成装置を内蔵または着脱可能な構造を特徴とする画像／音声出力装置。
【請求項１１】
コンピュータに読み取らせて実行するプログラムであって、
記憶装置に記憶されたコンテンツ内容データを読み出すステップと、
前記読み出したコンテンツ内容データの編集を行う編集ステップと  
を含み、
前記編集ステップにおいて、
前記記憶装置から読み出したコンテンツ内容データを画像／音声出力装置に送り、
この前記画像／音声出力装置に送られたコンテンツ内容データは、前記画像／音声出力装置を用いて再生され、
この再生データの再生と同時に前記編集の処理が実行され、
さらに前記編集の処理は、前記画像／音声出力装置から送信されてくる制御信号によって制御されることを特徴とする制御プログラム。
【発明の詳細な説明】
【技術分野】
【０００１】
本発明は、画像を用いてプレゼンテーションや教育を行う技術に関する。
【背景技術】
【０００２】
図表等の資料をスクリーンに投影し、それを指し示しながらプレゼンテーションを行う手法が知られている。この手法は、会議での説明として多用されている。
【０００３】
画像を用いたプレゼンテーションに利用するハードウェアとしては、例えば特許文献１や特許文献２等に記載されたものが知られている。
【０００４】
【特許文献１】特許３２０１７０７号公報
【特許文献２】特開２０００−３４１５８８号公報
【発明の開示】
【発明が解決しようとする課題】
【０００５】
このようなプレゼンテーションにおいて、同じプレゼンテーション内容を何回か繰り返して行う場合がある。例えば、ある都市で行ったプレゼンテーションを別の都市で行う場合や、ある会議で行ったプレゼンテーションを別の会議で再度行う場合がある。また、学校における授業等においても同様の場合がある。
【０００６】
このような場合、その都度プレゼンテーションを行うことは煩雑であり、またプレゼンター（説明者）の負担が大きくなる。この問題に対処する方法として、プレゼンテーションが行われている場面をビデオ撮影し、それを再利用する方法が挙げられる。
【０００７】
しかしながら、スクリーン等に表示された表示内容をビデオ撮影したものは、画像が見づらい、あるいは同時に録音された音声が聞き取りにくい、という問題がある。
【０００８】
また、より効果的なプレゼンテーションを行うために、最初に行ったプレゼンテーションの内容の一部の説明内容、提示資料、あるいは提示資料の提示タイミング等を変更したい場合が往々にある。
【０００９】
しかしながら、ビデオ撮影したものを再利用する方法では、プレゼンテーション内容の一部を修正することは簡単ではない。もちろん、新たに部分的なプレゼンテーションを再度行い、それをビデオ撮影し、その撮影内容を利用してビデオの録画内容の編集を行い、新たなプレゼンテーション撮影ビデオソフトを作成することも可能であるが、編集作業は煩雑であり、簡単に利用できる手法ではない。
【００１０】
本発明は、プレゼンテーション内容を効果的に再利用することができ、さらにプレゼンテーション内容を簡単に編集することができる技術を提供することを課題とする。
【課題を解決するための手段】
【００１１】
本発明は、コンテンツ内容データを記憶する記憶手段と、前記コンテンツ内容データを前記記憶手段から読み出すデータ読み出し手段とを備え、前記コンテンツ内容データは、画像／音声出力装置から出力される画像データおよび／または音声データのリアルタイムデータを含んでいることを特徴とするコンテンツ作成装置であることを要旨とする。
【００１２】
画像／音声出力装置とは、画像と音声を出力可能な機器のことをいう。画像／音声出力装置としては、資料提示装置またはコンピュータを挙げることができる。資料提示装置は、画像を記憶し、説明者の操作によって、所定の画像を出力する機能を有する装置のことをいう。資料提示装置を用いることで、説明者は、選択する任意のタイミングで画像を出力し、それを投影装置や適当なディスプレイ装置を用いて画像表示することで、画像を参照しつつ説明を行う説明手法を実行することができる。
【００１３】
コンピュータの形態は、特に限定されないが、例えば、画像信号と音声信号を出力可能なパーソナル・コンピュータを挙げることができる。パーソナル・コンピュータとしては、資料提示装置と同様の機能を専用のアプリケーションソフトウェアによって実行できる機能を備えた構成を挙げることができる。
【００１４】
コンテンツ内容データというのは、相手（例えば、教育目的であれば、その教育を受ける者）に伝えようとする内容に関するデータのことをいう。コンテンツには、教育内容（例えば視聴覚授業を行うための画像と音声の情報）、製品のマニュアル等の説明、規則の説明、報告内容、各種の発表（例えば、学会や会議での発表）内容、娯楽内容といったものが含まれる。
【００１５】
画像データおよび／または音声データのリアルタイムデータというのは、画像／音声出力装置からリアルタイムに出力される生データのことをいう。例えば、画像／音声出力装置を用いて、プレゼンテーションが１５分行われたのであれば、その１５分間の間、画像／音声出力装置から出力される画像信号と音声信号のそのままの信号のことをいう。したがって、この１５分の間、画像／音声出力装置から出力される画像／音声データをそのまま録音し、それを再生すれば、１５分間の画像／音声が再生される。
【００１６】
以下、画像の生データをリアルタイム画像データといい、音声の生データをリアルタイム音声データという。また、リアルタイム画像データを伝送する信号をリアルタイム画像信号といい、リアルタイム音声データを伝送する信号をリアルタイム音声信号という。
【００１７】
また、画像表示装置に送られる画像データのリアルタイムデータは、１枚の静止画像、複数枚の静止画像、または動画像でもよい。また、静止画像と動画像を任意のタイミングで切り換えたものであってもよい。
【００１８】
なお音声には、説明者の説明音声だけなく、音楽やプレゼンテーションに用いた各種の音が含まれていてもよい。この各種の音としては、例えば、音響関係のセミナーであれば、音響特性の確認の為に参考になる各種の音、また騒音に関するセミナーであれば、各種の騒音、また野鳥関係のセミナーあれば、野鳥の鳴き声、といったものが挙げられる。
【００１９】
本発明のコンテンツ作成装置によれば、画像と音声とで構成されるコンテンツの内容が、そのままリアルタイムに記憶手段に記憶される。例えば、プレゼンテーション用途に本発明を利用した場合、記憶手段から読み出したコンテンツ内容データを利用することで、時間や場所を代えてのプレゼンテーションにおいて、同じ内容のプレゼンテーションを、画像表示装置および適当なオーディオ・ビジュアル設備を用いて再生することができる。
【００２０】
この再生されるプレゼンテーションの内容は、スクリーンに投影された画像をビデオ撮影したものではなく、またプレゼンテーション会場内で流された音声をマイクで拾って録音したものでもない。つまり、一端表示された画像を撮像した画像ではなく、また一端スピーカから放射された音を録音したものではない。したがって、ビデオ撮影を利用した場合に発生する画像が見づらい、あるいは音声が聞こえにくい、といった不都合が発生しない。
【００２１】
本発明のコンテンツ作成装置は、画像データおよび／または音声データを編集する編集手段を更に備え、この編集手段による編集作業において、記憶手段から読み出したコンテンツ内容データは、画像／音声出力装置に送られ、この画像／音声出力装置に送られたコンテンツ内容データは、画像／音声出力装置を用いて再生され、この再生されたコンテンツ内容データは、前記編集手段に入力されて前記再生と同時に前記編集の処理が加えられ、この編集の処理は、前記画像／音声出力装置から送信されてくる制御信号によって制御される構成とすることは好ましい。
【００２２】
この態様によれば、画像／音声出力装置を操作して、記憶手段に記憶されたコンテンツを再生し、それと同時に各種の編集を行い、編集の結果得た２次コンテンツを別データとして記憶手段に記憶することができる。これにより、コンテンツの改定等を簡単に行うことができる。
【００２３】
この態様によれば、画像／音声出力装置から送信されてくる制御信号によって、編集の処理が制御される。例えば、画像／音声出力装置として資料提示装置を用いた場合、後述する例示のように、資料提示装置を用いたプレゼンテーションを再度行うことで、コンテンツの編集を行うことができる。これにより、編集のための特別な操作機器を別に容易せずに、しかも編集のための操作を別途行わなくても簡単に効率よく編集を行うことができる。このことは、画像／音声出力装置としてパーソナル・コンピュータを用いた場合においても同様にいえる。
【００２４】
編集には、コンテンツの分割、コンテンツへの内容の一部追加、コンテンツ内容の一部削除、コンテンツ内容の一部差し替え（修正）、さらにはこれら複数の組合せが含まれる。また本発明のコンテンツ作成装置は、この編集を行うために、画像や音声の再生において、逆再生、一時停止、一時停止の解除、早送り、早戻し、画像や音声の遅送り、画像のコマ送りやコマ戻し等を行う機能を備えている。
【００２５】
上記構成において、編集されたコンテンツ内容データは、編集と同時に記憶手段に記憶される構成とすることは好ましい。この態様によれば、再生と同時に編集し、その編集結果を２次コンテンツとして記憶することができる。この構成を利用することで、部分的に内容が改定されたコンテンツを簡単に作成することができる。
【００２６】
上記構成において、編集されたコンテンツ内容データには、固有のインデックス番号が付与される構成とすることは好ましい。この態様によれば、２次コンテンツの作成およびその記録と同時に、この２次コンテンツを読み出すためのインデックスが２次コンテンツのデータに付与される。これにより、２次コンテンツの読み出しを容易に行うことができる。例えば、このインデックスをバーコードに対応させることで、簡単な操作により２次コンテンツを読み出す構成を実現することができる。
【００２７】
上記の構成において、画像／音声出力装置から出力される画像データおよび／または音声データは、前記画像／音声出力装置を用いた説明内容の画像および音声を含んでいることは好ましい。
【００２８】
本発明のコンテンツ作成装置は、コンテンツ内容データをネットワークに出力する出力ポート、またはコンテンツ内容データを外部メモリに出力する出力ポートを備えていてもよい。
【００２９】
本発明のコンテンツ作成装置において、記憶手段は、ハードディスク装置であり、このハードディスク装置が取り外し可能である構成としてもよい。
【００３０】
本発明のコンテンツ作成装置において、コンテンツ内容データには、ポインティングデバイスによるポインティングデータおよび／またはペン入力デバイスによる軌跡入力データが含まれていてもよい。
【００３１】
ポインティングデバイスというのは、図表等を指し示すポイント画像（例えば矢印）の表示位置を制御するハードウェアのことをいう。ポインティングデータというのは、ポイント画像に関する画像データのことをいう。ペン入力デバイスというのは、ライトペン等の画像に直接マーキングや書き込みを入れることができるペン型のデバイスのことをいう。軌跡入力データというのは、ペン入力データから入力された軌跡表示の画像データのことをいう。
【００３２】
本発明は、上述したコンテンツ作成装置を内蔵または着脱可能な構造を備えた画像／音声出力装置として把握することもできる。例えば、上述したコンテンツ作成装置をユニット構造とし、それを画像／音声出力装置に備えた機能拡張スロットに装着可能な構成とすることで、コンテンツ作成機能を有する画像／音声出力装置を得ることができる。例えば、後述するコンテンツ作成機能を備えた資料提示装置やパーソナル・コンピュータを得ることができる。
【００３３】
本発明は、プレゼンテーション用コンテンツの作成を制御する制御プログラムとして把握することもできる。すなわち、コンピュータに読み取らせて実行するプログラムであって、記憶装置に記憶されたコンテンツ内容データを読み出すステップと、前記読み出したコンテンツ内容データの編集を行う編集ステップと  を含み、前記編集ステップにおいて、前記記憶装置から読み出したコンテンツ内容データを画像／音声出力装置に送り、この前記画像／音声出力装置に送られたコンテンツ内容データは、前記画像／音声出力装置を用いて再生され、この再生データの再生と同時に前記編集の処理が実行され、さらに前記編集の処理は、前記画像／音声出力装置から送信されてくる制御信号によって制御されることを特徴とする制御プログラムとして把握することもできる。
【発明の効果】
【００３４】
本発明によれば、プレゼンテーション等の説明内容を効果的に再利用することができ、さらにその説明内容を簡単に編集することができるコンテンツ作成装置を提供することができる。
【発明を実施するための最良の形態】
【００３５】
１．第１の実施形態
（実施形態の構成）
以下、画像／音声出力装置として資料提示装置を利用したプレゼンテーションシステムに、本発明のコンテンツ作成装置を利用した例を説明する。
【００３６】
図１は、本発明を利用したプレゼンテーションシステムの概要を示すイメージ図である。図１には、資料提示装置１０１、コンテンツ作成装置１２０、投影装置１４１、スクリーン１４２、マイクロフォン１４３およびスピーカ１５１が示されている。
【００３７】
資料提示装置１０１は、用意した資料（図面、グラフ、表データ、写真等）の画像をコンテンツ作成装置１２０に送り、さらに投影装置１４１を介してスクリーン１４２に投影する機能を有する。また、資料提示装置１０１は、コンテンツ作成装置１２０に記憶されたプレゼンテーション用のコンテンツを読み出し、それを、コンテンツ作成装置１２０を介して、再生する機能を有する。この再生は、読み出したプレゼンテーション用コンテンツの画像を投影装置１４１からスクリーン１４２に投影し、読み出したプレゼンテーション用コンテンツの音声をスピーカ１５１から拡声することで行われる。また、資料提示装置１０１は、コンテンツ作成装置１２０に記憶されたプレゼンテーション用コンテンツを編集するための操作手段（制御スイッチ群１０５）を備えている。
【００３８】
コンテンツ作成装置１２０は、資料提示装置１０１を用いて行われたプレゼンテーションの内容をプレゼンテーション内容データとして記録する機能、さらにこのプレゼンテーション内容データを、資料提示装置１０１から送られてくる制御信号に基づいて編集する機能を有している。
【００３９】
投影装置１４１は、一般的にプロジェクターと呼ばれている画像表示装置であり、入力された画像信号に基づく画像をスクリーン等に投影し、そこに画像を表示する機能を有している。投影装置としては、３管型プロジェクターや液晶プロジェクターが知られている。スクリーン１４２は、画像投影装置１４１から投影された画像を映し出すための専用スクリーンである。スピーカ１５１は、アンプを内蔵しており、適当なレベルのアナログ音声信号が入力すれば、それを増幅して任意の音圧で拡声する。
【００４０】
投影装置１４１以外に液晶表示装置やプラズマ表示装置等の画像表示装置を利用することもできる。また、個人利用を想定した構成であれば、小型の液晶表示等を投影装置１４１の代わりに利用することができる。
【００４１】
マイクロフォン１４３の出力は、音声信号伝送ケーブル１４６を介して資料提示装置１０１に入力される。また、資料提示装置１０１とコンテンツ作成装置１２０とが、画像データ信号伝送ケーブル１４４、音声信号伝送ケーブル１４５、ＵＳＢ（Universal Serial Bus）ケーブル１５０によって接続されている。
【００４２】
画像データ信号伝送ケーブル１４４は、資料提示装置１０１からコンテンツ作成装置１２０にアナログのリアルタイム画像信号を送る伝送ケーブルである。音声信号伝送ケーブル１４５は、資料提示装置１０１からコンテンツ作成装置１２０にアナログのリアルタイム音声信号を送る伝送ケーブルである。ＵＳＢケーブル１５０は、資料提示装置１０１からコンテンツ作成装置１２０に編集時の制御信号を送り、またコンテンツ作成装置１２０から資料提示装置１０１に記憶手段（後述するハードディスク装置１２５）から読み出したコンテンツ内容データ（画像データと音声データ）とを送りだす信号ケーブルである。
【００４３】
また、コンテンツ作成装置１２０には、画像信号伝送ケーブル１４７を介して投影装置１４１が接続され、スピーカケーブル１４８を介してスピーカ１５１が接続されている。
【００４４】
資料提示装置１０１は、撮像装置１０２、アーム１０３、資料載置台１０４、制御スイッチ群１０５、資料固有データ読み取り装置１０７、載置検出装置１１４、およびディスプレイ１１５を備えている。また、図１には、資料載置台１０４上に任意の資料１０６が載置された状態が示されている。
【００４５】
撮像装置１０２は、ＣＣＤカメラであり、資料載置台１０４上に載置された資料１０６を撮像する。制御スイッチ群１０５には、撮像装置１０２による撮像タイミングを決める撮像スイッチや、後述するプレゼンテーション用コンテンツの編集を行うためのスイッチ群が配置されている。
【００４６】
資料固有データ読み取り装置１０７は、資料１０７に貼られたバーコードシール（あるいはバーコード印刷）を読み取る機能を有する。載置検出装置１１４は、資料１０６が資料載置台１０４上に載置されたことを検出する光学センサーである。
【００４７】
図２は、図１に示す資料提示装置１０１の機能を説明するためのブロック図である。図２に示すように資料提示装置１０１は、上述した構成要素以外に、画像取り込み装置１０８、中央制御装置１０９、データ記憶装置１１０、アナログ画像信号変換装置１１１、アナログ音声信号変換装置１１２、およびＵＳＢインターフェース装置１１３を備えている。
【００４８】
画像取り込み装置１０８は、撮像装置１０２が撮像した画像信号を取り込み、それを中央制御装置１０９に送る。中央制御装置１０９は、データ記憶装置１１０への画像データの書き込み（記憶）、データ記憶装置１１０に記憶された画像データの読み出しを行う。また、中央制御装置１０９は、画像読み取り装置１０８から送られてきた画像信号、あるいはデータ記憶装置１１０から読み出した画像信号、あるいはＵＳＢインターフェース装置１１３から送られてきた画像信号をアナログ画像信号変換装置１１１に送る。また、中央制御装置１０９は、画像／音声取り込み装置１０８およびＵＳＢインターフェース装置１１３から送られてきた音声信号をアナログ音声信号変換装置１１２に送る。
【００４９】
アナログ画像信号変換装置１１１は、中央制御装置１０９から送られてきた画像信号をアナログ信号（例えばアナログＲＧＢ信号）に変換し、それをコンテンツ作成装置１２０（図１参照）に送りだす。アナログ音声信号変換装置１１２は、中央制御装置１０９から送られてきた音声信号をアナログ信号（例えばアナログオーディオ信号）に変換し、それをコンテンツ作成装置１２０に送りだす。
【００５０】
マイクロフォン１４３は、資料提示装置１０１を用いてプレゼンテーションを行う際に、説明者（プレゼンター）の説明音声を拾い、電気信号に変換する。通常、マイクロフォン１４３は、説明者の胸元等に固定されて使用される。そして、このマイクロフォン１４３からの音声出力は、画像／音声取り込み装置１０８に取り込まれる。
【００５１】
図３は、図１のコンテンツ作成装置１２０の機能を説明するブロック図である。コンテンツ作成装置１２０は、画像データ圧縮装置１２１、音声データ圧縮装置１２２、編集対象データ作成装置１２３、データ書き込み／読み出し装置１２４、ハードディスク装置１２５、バッファメモリ１２６、データ編集装置１２７、編集制御装置１２８、バッファメモリ１２９、ＵＳＢインターフェース装置１４９、およびＬＡＮ(Local Area Network)インターフェース１５３を備えている。
【００５２】
画像信号圧縮装置１２１は、資料提示装置１０１から送られてきた画像信号のデータをデジタル化し、それをデータ圧縮する。音声信号圧縮装置１２２は、資料提示装置１０１から送られてきた音声信号をデジタル化し、それをデータ圧縮する。編集対象データ作成装置１２３は、圧縮された画像データと音声データとを関連付け、プレゼンテーション内容データを生成する。このプレゼンテーション内容データは、本発明のコンテンツ内容データの一例である。
【００５３】
データ書き込み／読み出し装置１２４は、ハードディスク装置１２５にプレゼンテーション内容データを書き込む機能、およびハードディス装置１２５からプレゼンテーション内容データを読み出す機能を有する。ハードディスク装置１２５は、本発明の記憶手段にあたり、その内部には、プレゼンテーション内容データが記憶される。
【００５４】
バッファメモリ１２６は、データ書き込み／読み出し装置１２４から送られてくるプレゼンテーション内容データを一時的に蓄え、バッファリングする機能を有する。データ編集装置１２７は、バッファメモリ１２６に一時的に蓄積されたプレゼンテーション内容データに対して、データの分割、新たなデータの割り込み、一部データの消去等といった編集処理を行う。これらの編集内容の実例については後述する。
【００５５】
編集制御装置１２８は、資料提示装置１０１のスイッチ群１０５を操作しての編集操作において、その操作内容を指示する制御をデータ編集装置１２７に対して行う。
【００５６】
バッファメモリ１２９は、データ編集装置１２７において編集された、あるいは編集されなかったプレゼンテーション内容データを一時的に記憶するバッファリング機能を備えている。
【００５７】
ＵＳＢインターフェース装置１４９は、ハードディスク装置１２５から読み出されたプレゼンテーション内容データをバッファメモリ１２９から受け取り、それをＵＳＢ規格の信号に変換して、資料提示装置１０１に送り出す機能を備える。また、ＵＳＢインターフェース装置１４９は、資料提示装置１０１からのＵＳＢ規格の制御信号を受けて、その制御内容を編集制御装置１２８に伝える。また、ＵＳＢインターフェース装置１４９は、資料提示装置１０１以外の機器を接続するためのＵＳＢ接続端子１５２を備えている。ＬＡＮインターフェース装置１５３は、所定規格のＬＡＮにコンテンツ作成装置１２０を接続可能にするためのインターフェースである。ＬＡＮへの接続は、ＬＡＮ接続端子１５４を介して行われる。
【００５８】
（実施形態の動作：最初のプレゼンテーション時の動作）
まず、資料提示装置１０１を用いたプレゼンテーションについて説明する。まずプレゼンテーションを行う前に、スクリーン１４２に表示する資料の画像を資料提示装置１０１に登録する。
【００５９】
例えば、行おうとするプレゼンテーションで提示する資料が１０枚あるとする。この場合、資料提示装置１０１の資料載置台１０４上に１０枚の資料を１枚１枚載置し、それを撮像装置１０２によって撮像し、それぞれの資料の画像イメージを資料提示装置１０１内のデータ記憶装置１１０（図２参照）に記憶させる。
【００６０】
すなわち、資料を資料載置台１０４上に載置し、制御スイッチ群１０５を操作して、その載置した資料を撮像する。撮像された資料の画像イメージは、撮像装置１０２において画像信号に変換される。そして、その画像信号は、画像取り込み装置１０８に取り込まれ、中央制御装置１０９に送られる。
【００６１】
なお、載置された資料の角には、資料を識別するための固有情報を示すバーコードが貼付あるいは印刷されている。上述した撮像と同時にこのバーコードが、資料固有データ読み取り装置１０７によって読み取られる。この読み取られた固有情報は、中央制御装置１０９において、取り込んだ画像データと関連付けがされる。そして、バーコードから読み取られた固有情報と関連付けられた画像データは、データ記憶装置１１０に記憶される。以上の作業を用意した資料１枚１枚において行っておく。
【００６２】
プレゼンテーションを行う際に、説明者（あるいは補助者）がスクリーン１４２に表示させたい資料をプレゼンテーションの進行に合わせて資料載置台１０４に載置する。資料が載置されると、載置検出装置１１４の機能により、資料が載置されたことが検出され、資料固有データ読み取り装置１０７が資料のバーコードを読み取る。
【００６３】
中央制御装置１０９は、上記読み出されたバーコードのコードに基づき、データ記憶装置１１０内を検索し、対応する画像データを読み出す。読み出された画像データは、アナログ画像信号変換装置１１１に送られ、さらにそこからコンテンツ作成装置１２０に送られる。この画像信号は、コンテンツ作成装置１２０を介して投影装置１４１に送られ、投影装置からスクリーン１４２に投影される。
【００６４】
すなわち、プレゼンテーションの進行に合わせて、適時タイミングを見て、資料提示台１０４上に予め登録しておいた資料を置くと、その資料の画像イメージがデータ記憶装置１１０から読み出され、それがコンテンツ作成装置１２０を介して投影装置１４１に送られ、スクリーン１４２に投影される。
【００６５】
この際、スクリーン１４２に表示される画像は、そのままリアルタイムにリアルタイム画像としてコンテンツ作成装置１２０内に記憶される。また、このリアルタイム画像に対応した説明音声もリアルタイム画像に関連付けされて、コンテンツ作成装置１２０内に記憶される。つまり、プレゼンテーションと同時にプレゼンテーション内容データがコンテンツ作成装置１２０内に記憶される。この１回目のプレゼンテーションに関するプレゼンテーション内容データが後述する編集の対象となる１次データ（１次コンテンツ）となる。
【００６６】
例えば、プレゼンテーションが１０分間行われたとして、その１０分間の間に１０枚の資料がプレゼンテーションに合わせて適当なタイミングでスクリーン１４２に投影表示されたとする。この場合、コンテンツ作成装置１２０内に記憶されるプレゼンテーション内容データの画像を再生すると、プレゼンテーション時と全く同じタイミングでスクリーン１４２に１０枚の画像を再生することができる。つまり、プレゼンテーション時に提示した画像がそのまま同じ時間経過に従って再現される。この点は、プレゼンテーション内容データに含まれる音声データについても同様である。
【００６７】
上記の動作において、コンテンツ作成装置１２０内においては、以下の処理が行われる。まず、プレゼンテーションの進行に合わせて、資料提示装置１０１から、画像信号伝送ケーブル１４４を介してリアルタイムで送信されてくる画像信号（リアルタイム画像信号）は、分岐され、一方は画像信号伝送ケーブル１４７にバイパスされ、もう一方は画像データ圧縮装置１２１に取り込まれる。
【００６８】
画像信号伝送ケーブル１４７にバイパスされたリアルタイム画像信号は、投影装置１４１に送られ、投影装置１４１は、それをそのままスクリーンに投影する。これにより、資料提示装置１０１の資料載置台１０４上に資料１０６を載置した場合に、その画像がスクリーン１４２上に表示される。
【００６９】
他方において、画像データ圧縮装置１２１に取り込まれたリアルタイム画像信号は、そこでデジタル信号に変換され、データ圧縮処理が施される。
【００７０】
また、マイクロフォン１４３が検出した音声は、画像／音声取り込み装置１０８から資料提示装置１０１内に取り込まれ、さらに中央制御装置１０９、アナログ音声信号変換装置１１２を経由して、コンテンツ作成装置１２０内の音声データ圧縮装置１２２に取り込まれる。
【００７１】
またコンテンツ作成装置１２０内に取り込まれた音声信号（リアルタイム音声信号）は、スピーカケーブル１４８にバイパスされ、スピーカ１５１から音波としてプレゼンテーション会場内に放送される。これにより、説明者の解説等の音声がリアルタイムにプレゼンテーション会場内に拡声される。
【００７２】
また、音声データ圧縮装置１２２に取り込まれたリアルタイム音声信号は、そこでデジタル信号に変換され、さらにデータ圧縮処理が施される。
【００７３】
データ圧縮処理が施されたリアルタイム画像信号とリアルタイム音声信号とは、編集データ作成装置１２３で関連付けられ、プレゼンテーション内容データの１次データが生成される。
【００７４】
このプレゼンテーション内容データの１次データは、データ書き込み／読み出し装置１２４からハードディスク装置１２５に書き込まれる。こうして、プレゼンテーション時にスクリーン１４２に投影された画像データをそのまま記録したリアルタイム画像データと、それに同期した音声データがハードディスク装置１２５内に記憶される。
【００７５】
つまり、資料提示装置１０１を用いて、提示資料をスクリーン１４２上に提示しつつプレゼンテーションが行われるのと同時に、スクリーン１４２上に表示された画像のリアルタイムな内容（リアルタイム画像）と、それに同期した説明者の説明内容（リアルタイム音声）とが、コンテンツ作成装置１２０内に電子データ（プレゼンテーション内容データ）として記憶される。またこの際、記憶されたプレゼンテーション内容データには、所定のインデックス（識別表示）が付与される。
【００７６】
（実施形態の動作：編集処理時の動作）
次にコンテンツ作成装置１２０内に記憶されたプレゼンテーション内容データの１次データを編集する場合の例を説明する。
【００７７】
（分割編集の例）
ここでは、プレゼンテーションが、例えば工場の生産現場における作業手順に関する講義であり、この講義を２回の講義に分割する分割編集を行う場合の例を説明する。まずこのプレゼンテーションのプレゼンテーション内容データが、コンテンツ作成装置１２０内に記憶されている状態を得る。これは、資料提示装置１０１を用いて、上述したプレゼンテーションを１回行うことで得ることができる。
【００７８】
次にコンテンツ作成装置１２０内に記憶されているプレゼンテーション内容データを再生する。この再生により、スクリーン１４２には１回目のプレゼンテーション時に提示された画像が、同じタイミングで表示され、同時にスピーカ１５１からは、その表示された画像を利用した説明音声が流れる。つまり、１回目のプレゼンテーションが再現される。
【００７９】
編集を行う者は、再生された講義の区切りのタイミングを見計らい、制御スイッチ群１０５を操作し、所定の部分において再生を停止させる。そして、そこまでの再生内容を１つのデータとしてフォルダ化し、コンテンツ作成装置１２０内に記憶させる。
【００８０】
次に停止させた部分から再生を再開し、再生の終了後、再開以降の再生内容を別データとしてフォルダ化し、コンテンツ作成装置１２０内に記憶させる。
【００８１】
こうすることで、連続した所定時間の講義内容に関するプレゼンテーション画像と説明音声のリアルタイムデータを２分割し、２回分のプレゼンテーション用コンテンツを得ることができる。
【００８２】
この場合、分割されることで得た２つのコンテンツには、インデックス番号が付与される。このインデックス番号を利用することで、簡単な操作により、所定のコンテンツを選択的に再生することができる。
【００８３】
（分割編集時の処理内容）
以下、上記分割編集が行われた際におけるコンテンツ作成装置１２０内で行われる処理内容の例を説明する。
【００８４】
まず、制御スイッチ群１０５が操作され、プレゼンテーション用コンテンツの１次データの再生が指示されると、その旨の制御信号がＵＳＢケーブル１５０を介してコンテンツ作成装置１２０に送られる。コンテンツ作成装置１２０は、それをＵＳＢインターフェース装置１４９で受け、編集制御装置１２８に送る。
【００８５】
再生を指示する信号を受けた編集制御装置１２８は、データ書き込み／読み出し装置１２４に制御信号を送り、データ書き込み／読み出し装置１２４は、所定のプレゼンテーション内容データをハードディスク装置１２５から読み出す。読み出されたプレゼンテーション内容データは、バッファメモリ１２６に送られ、バッファリングの後、データ編集装置１２７に送られる。
【００８６】
分割編集の操作が行われなければ、読み出されたプレゼンテーション内容データがデータ編集装置１２７からバッファメモリ１２９へ送られる。バッファメモリ１２９に一旦蓄積されたプレゼンテーション内容データは、ＵＳＢインターフェース装置１４９に送られる。
【００８７】
ＵＳＢインターフェース装置１４９に送られたプレゼンテーション内容データは、ＵＳＢ規格の信号に変換され、資料提示装置１０１に送られる。資料提示装置１０１に送られたプレゼンテーション内容データは、ＵＳＢインターフェース装置１１３に取り込まれ、そこから中央制御装置１０９に送られる。そして、その中に含まれる画像データは、アナログ画像信号変換装置１１１においてアナログ画像信号に変換され、音声データは、アナログ音声信号変換装置１１２に送られてアナログ音声信号に変換される。
【００８８】
変換されたアナログ画像信号は、リアルタイム画像信号としてコンテンツ作成装置１２０に送られ、そこから投影装置１４１に送られる。また、変換されたアナログ音声信号は、リアルタイム音声信号として、コンテンツ作成装置１２０に送られ、そこからスピーカ１５１に送られる。
【００８９】
こうして、編集操作（この場合は分割編集の操作）が行われなければ、ハードディスク装置１２５から読み出されたプレゼンテーション内容データは、そのまま投影装置１４１とスピーカ１５１を用いて再生される。
【００９０】
つまり、分割編集が行われない場合、ハードディスク装置１２５に記憶されていたプレゼンテーション内容の１次コンテンツは、最初のプレゼンテーション時と同じタイミングで画像表示され、同時にそれに関連した説明音声がスピーカから流れされる。つまり、リアルタイムにプレゼンテーションが再現される。
【００９１】
このプレゼンテーションの再現途中において、資料提示装置１０１の制御スイッチ１０５が操作されて、分割編集の指示が出されると、編集制御装置１２８からデータ編集装置１２７にその旨の制御信号が出力される。
【００９２】
この制御に基づいてデータ編集装置１２７が動き、バッファメモリ１２６からバッファメモリ１２９に送られるプレゼンテーション内容データが所定のタイミングで分離される。分離された２つのデータは、それぞれプレゼンテーション用コンテンツの２次データとなる。
【００９３】
こうして、プレゼンテーション内容データに対する分割編集が行われ、２つのプレゼンテーション用コンテンツを得ることができる。
【００９４】
（部分編集の例）
ここでは、リアルタイムで記憶されているプレゼンテーションの内容の一部に新たな内容を追加する編集を行う例を説明する。ここでは、１次データを再利用した２回目のプレゼンテーションを行い、その中でプレゼンテーションと同時に編集も行う場合の例を説明する。
【００９５】
まず１次データとなるプレゼンテーション内容データが、コンテンツ作成装置１２０内に記憶されている状態を得る。これは、上述したように、通常のプレゼンテーションを最初に１回行うことで得ることができる。次にコンテンツ作成装置１２０内に記憶されているコンテンツを再生しながら、再度のプレゼンテーション（２回目のプレゼンテーション）を行う。
【００９６】
そして、修正が必要な部分の再生部分に来たら、その部分の再生を停止し、必要であれば資料載置台１０４に資料を載置して、改めてその部分のプレゼンテーションをやり直す。つまり、再生を途中で停止し、その場での実際のプレゼンテーションに切り換える。
【００９７】
この部分的なプレゼンテーションのやり直しが終了したら、１次データの再生を再開する。こうして、任意の部分に部分的なプレゼンテーションを追加し、修正されたプレゼンテーション内容データ（２次データ）を得ることができる。
【００９８】
なお、プレゼンテーション内容の新たな追加により、不要となる部分が発生する場合、再生と同時に、制御スイッチ群１０５を操作して、早送り再生しながら、その部分を消去する処理を行えばよい。
【００９９】
以上述べた方法を用いると、プレゼンテーション内容に対して、部分的な修正あるいは部分的な追加を簡単に行うことができ、プレゼンテーション用のコンテンツを得る労力や負担を大きく低減することができる。すなわち、１次コンテンツを再利用したプレゼンテーションを、資料提示装置１０１の機能を利用して再度行うことで、簡単に２次コンテンツを得ることができる。この際、編集作業は資料提示装置１０１を操作することで行われるので、編集作業が煩雑にならず、また編集のための余計な操作を行わなくてよい。このことは、システムを簡便に利用する点で重要である。
【０１００】
また、２回、３回とプレゼンテーションを重ねることで、質を徐々に高め、高い完成度を有するプレゼンテーション用のコンテンツを、プレゼンテーションを重ねながら同時に作成することができる。
【０１０１】
またこのプレゼンテーション用のコンテンツは、電子データ化されているので、コピーすることも簡単であり、質の高いプレゼンテーションを複数の場所で同時に行うような場合に有効に利用することができる。
【０１０２】
（部分編集時の処理内容）
以下、上述の部分編集時において、コンテンツ作成装置１２０内で行われる処理について説明する。
【０１０３】
資料提示装置１０１の制御スイッチ群１０５が操作され、プレゼンテーション内容データをハードディスク装置１２５から読み出す旨の指示が出されると、コンテンツ作成装置１２０内の編集制御装置１２８からその旨の信号がデータ書き込み／読み出し装置１２４に出力され、所定のプレゼンテーション内容データがハードディスク装置１２５から読み出される。
【０１０４】
ハードディスク装置１２５から読み出されたプレゼンテーション内容データは、バッファメモリ１２６でバッファリングされ、上述したのと同様の経路を経て、画像は投影装置１４１からスクリーン１４２に投影され、音声は、スピーカ１５１から拡声される。
【０１０５】
再生が進み、部分編集を行う部分が再生されるタイミングになったら、説明者（編集者）は、制御スイッチ群１０５を操作し、データ編集装置１２７がバッファメモリ１２６からの１次データの読み出しを停止する。
【０１０６】
この状態において、マイク１４３を用いた再説明および／または資料提示装置１０１を用いた提示資料の提示操作を適時行う。例えば、新たな資料を選択されると、その画像信号が資料提示装置１０１からコンテンツ作成装置１２０に送られ、それは画像データ圧縮装置１２１、編集対象データ作成装置１２３、データ編集装置１２７に送られる。また、この画像の提示に合わせて行われる説明音声がマイク１４３によって検出され、マイク１４３の出力は、資料提示装置１０１からコンテンツ作成装置１２０に送られ、さらに音声データ圧縮装置１２２から編集対象データ作成装置１２３に送られる。
【０１０７】
編集対象データ作成装置１２３においては、上記画像データのリアルタイム信号と上記音声データのリアルタイム信号の関連付けが行われ、新たなプレゼンテーション内容データが生成される。このプレゼンテーション内容データは、データ編集装置１２７に送られ、プレゼンテーション内容データ（１次データ）の停止部分に挿入される。
【０１０８】
すなわち、途中まで再生されていたプレゼンテーション内容データの１次データに、上述の改めて行われたプレゼンテーションの内容が結合される。この新たな内容が結合されたプレゼンテーション内容データは、データ編集装置１２７からバッファメモリ１２９に送られ、そこに蓄積される。そして、ＵＳＢインターフェース装置１４９から資料提示装置１０１に戻され、再びリアルタイム画像信号およびリアルタイム音声信号として、コンテンツ作成装置１２０に入力される。
【０１０９】
部分修正内容に相当する部分的なプレゼンテーションが終了したら、先に再生を停止していた部分以降の再生が引き続いて行われる。
【０１１０】
こうして、新たな内容が部分的に挿入された内容がプレゼンテーションされる。この新たな内容は、バッファメモリ１２９においてバッファリングされるので、それをデータ書き込み／読み出し装置１２４に送り、それをハードディスク装置１２５に書き込む。
【０１１１】
こうすることで、プレゼンテーション用コンテンツの１次データに部分的に新たな内容が追加されたプレゼンテーション用コンテンツの２次データがハードディスク装置１２５内に記憶される。つまり、１次コンテンツの再生と同時にそれに対する編集を行い、編集された２次コンテンツを得ることができる。
【０１１２】
また、プレゼンテーション内容データに対する部分的な追加処理とは別に部分的な内容の削除が行われる場合は、以下のような処理が行われる。この場合、プレゼンテーション内容データの再生途中において、削除を指示する信号が資料提示装置１０１からコンテンツ作成装置１２０に送られ、それを受けて、データ編集装置１２７は、バッファメモリ１２６から送られてくるプレゼンテーション内容データから、指示された部分を削除したプレゼンテーション内容データ（２次データ）を生成する。
【０１１３】
この２次データは、バッファメモリ１２９からデータ書き込み／読み出し装置１２４に戻され、２次コンテンツとしてハードディスク装置１２５に記憶される。また、ＵＳＢインターフェース装置１４９から資料提示装置１０１に戻され、それがリアルタイム音声信号およびリアルタイム画像信号としてコンテンツ作成装置１２０に出力される。その内容は、コンテンツ作成装置１２０から投影装置１４１およびスピーカ１５１に出力され、一部削除の編集が施された２次コンテンツがプレゼンテーションされる。
【０１１４】
こうして、一旦行われたプレゼンテーションの内容の一部を削除する編集を、１次コンテンツの再生を行いながら、資料提示装置を用いて実行することができる。
【０１１５】
（編集作業を行わない場合）
上述した編集処理を行わずに、ハードディスク装置１２５内に記憶されたプレゼンテーション内容データをそのまま再生してもよい。この場合、１回行われたプレゼンテーションをそのまま再演することができる。この方法を用いると、電子データを再生することで、同じプレゼンテーションを何回も行うことができる。
【０１１６】
（資料提示装置の動作の他の例）
資料提示装置１０１は、資料載置台１０４に載置した資料を撮像装置１０２によって撮像し、その撮像画像を投影装置１４１に送り、スクリーン１４２上に投影するオーソドックスな利用を行うこともできる。この場合もリアルタイム画像データとリアルタイム音声データをコンテンツ作成装置１２０内に記録し、それを編集し、プレゼンテーション用コンテンツを作成することができる。
【０１１７】
２．第２の実施形態
資料提示装置とコンテンツ作成装置を統合した構成とすることもできる。この場合、例えば図１に示す構成において、資料提示装置１０１内にコンテンツ作成装置１２０を格納した構造を挙げることができる。また、資料提示装置にコンテンツ作成装置を着脱可能な構造とすることもできる。勿論、コンテンツ作成装置に資料提示装置を着脱可能な構成とすることもできる。この態様によれば、コンテンツの作成機能を有した資料提示装置を提供することができる。
【０１１８】
３．第３の実施形態
コンテンツ作成装置１２０の構造において、ハードディスク装置１２５を着脱可能な構造としてもよい。こうすることで、多数のコンテンツを扱う場合のコンテンツの整理や、バックアップデータの保存をより効果的にそして効率よく行うことができる。
【０１１９】
また、コンテンツ作成装置１２０が、固定のハードディスク装置を備え、さらに着脱可能なハードディスク装置を装着できる構造としてもよい。また、ハードディスク装置１２５の代わりに他の記憶手段（例えば、半導体メモリ）を利用、あるいは併用することも可能である。
【０１２０】
また、ＵＳＢ端子に接続する外付けの小型メモリ（所謂ＵＳＢメモリ）を着脱可能な構成としてもよい。このような小型メモリは、データも持ち出しや、データのバックアップを行うときに便利である。例えば、図３に示す例において、ＵＳＢ接続端子１５２にフラッシュメモリを用いた小型メモリを接続し、この小型メモリにデータを転送することで、データの持ち出しやバックアックを簡単に行うことができる。
【０１２１】
４．第４の実施形態
コンテンツ作成装置１２０は、ネットワークへの出力端子を備えていてもよい。ネットワークとしては、ＬＡＮ(Local Area Network)やインターネットを挙げることができる。ネットワークへの接続を可能とすることで、ネットワークを介してコンテンツを装置外に出力したり、ネットワークを介してコンテンツを装置内に取り込んだりすることができる。図３には、その一例として、ＬＡＮインターフェース装置１５４を備えた構成が記載されている。
【０１２２】
５．第５の実施形態
コンテンツ作成装置１２０が扱うコンテンツ内容データに、ポインティングデバイスによるポインティングデータおよび／またはペン入力デバイスによる軌跡入力データを含めることができる。
【０１２３】
例えば、資料提示装置１０１を用い、スクリーン１４２に写し出した画像を利用して、プレゼンテーションを行う場合において、画像の所定の部分をポイント画像で指し示しながら説明を行う場合がある。ここで、ポイント画像としては、例えば矢印の表示が利用される。この際、このポイント画像を画像データとしてコンテンツ内容データに取り込むことができる。
【０１２４】
ポイント画像をコンテンツ内容データに取り込む方法としては、例えば、資料載置台１０４上にライトペンにより所定波長の光を照射し、その輝点の位置を撮像装置１０２によって撮像し、それを画像中にポイント画像として重ね合わせて表示する方法がある。
【０１２５】
また、同様な原理を用いた技術として、ライトペンをペン入力デバイスとして用い、スクリーン１４２に投影された画像中に文字や下線等の書き込みを行う技術がある。この場合も書き込まれた文字や下線等の軌跡を画像データとして、コンテンツ内容データに取り込めばよい。
【０１２６】
６．具体的な実施形態
（具体例１）
以下、工場における製品の組み立て手順を説明するコンテンツ（作業マニュアル）の作成に本発明を採用する場合の例を説明する。
【０１２７】
まず、ある製品に関する組み立て手順の説明を図１に示すプレゼンテーション用システムを用いて行う。これは、１次コンテンツを作成するために行われる説明であり、説明を受ける視聴者（この場合は、生産ラインの従業員）がいない状態でこの説明は行われる。
【０１２８】
次に、説明した一連の製造工程をパート毎に分割する。例えば、筐体組み立て工程、制御部組み立て工程、塗装工程、検査工程等といった具合に大まかな範囲に分割する。
【０１２９】
この分割作業は、以下のようにして行われる。まず、資料提示装置１０１を操作して、１次コンテンツをコンテンツ作成装置１２０内から資料提示装置１０１側に読み出す。読み出された１次コンテンツは、コンテンツ作成装置１２０に送り返され、画像は投影装置１４１から投影され、音声はスピーカ１５１から再生される。
【０１３０】
分割するタイミングがきたら、制御スイッチ群１０５に備えたれた図示しないコンテンツ分割スイッチを押す。すると、所定のインデックスが付与された電子ファイルとして、再生開始から切断処理時までの再生内容がハードディスク装置１２５に記憶される。こうして、１次コンテンツの開始からある時点までを内容とする２次コンテンツ（その１）を得ることができる。
【０１３１】
このまま再生を続け、任意のタイミングでコンテンツ分割スイッチを再び押すと、先に切断された部分から今回の分割操作タイミングまでの１次コンテンツが切り出され、２次コンテンツ（その２）を得ることができる。この２次コンテンツ（その２）も自動的に固有のインデックスが付与され、ハードディスク装置１２５に記憶される。
【０１３２】
こうして、１次コンテンツを再生しながら、それを任意のタイミングで分割し、分割された複数の２次コンテンツを作成することができる。各２次コンテンツには、固有のインデックスが付与され、後にそれを個別に読み出すことができる。
【０１３３】
この構成において、各２次コンテンツは、再生しながらの修正が容易であるので、組み立て手順の変更や修正等があっても、容易に対応することができる。また、分割された２次コンテンツ毎に固有のインデックスが付与されているので、必要な時に必要な箇所の組み立て手順の説明（画像と音声とによる）を従業員は受けることができる。
【０１３４】
例えば、図１に示すシステムを小型化し、普通のディスプレイで再生内容を見ることができるようなシステムを用いることで、従業員が個人的に、製品の組み立て手順を確認することができる。
【０１３５】
この時、製造工程にバーコードを割り振り、それを上述したインデックスに対応させることで、製造現場における組み立て手順の確認作業を迅速にそして簡単に行うことができる。組み立て作業現場において、組み立て手順の確認を行いたい場合に、分厚いマニュアルを読み返したり、コンピュータ端末を用いて検索したりすることは、作業が煩雑になるので好ましくないが、上述したシステムを用いることで、この煩雑さが軽減される。
【０１３６】
また、上述した例示の場合、製品のバージョンアップや仕様の変更があった場合に迅速に対応することができる。すなわち、現状の製品を改良した新製品を生産する場合、多くは、部分的に部品が新しいものに代わったり、ＲＯＭが交換され新たな機能の付加や機能の改善が行われたり、といった改良となる。
【０１３７】
このような場合、上記最初の組み立て手順を説明する１次コンテンツを用いて、新製品に対応した２次コンテンツを作成することができる。例えば、新製品に対応する部分の説明を新たな図を用いた説明等に変更し、新たな内容を加えることで、新製品の組み立て手順を説明することができる。こうすることで、新製品の組み立て手順の説明用コンテンツを迅速に作成することができる。この際、必要な作業工程のみを読み出せばよいので、改定に必要な労力を省くことができる。また、その修正もコンテンツを再生しながら、資料提示装置１０１を操作することで行えるので、基のコンテンツを有効に利用しつつ、労力をかけずに改定された２次コンテンツを作成することができる。
【０１３８】
また、製造ラインが複数ある場合や、製造に従事する人数が多い場合、説明会は複数回に分けて実施されることがある。このような場合、最初に行った説明内容を記憶したコンテンツを再利用することで、説明者の負担を軽減することができる。また、説明会を複数回行ってゆく際に、部分的な修正等を簡単に行うことができる。
【０１３９】
また、基本構造が同じで、部分的に機能等が異なるバージョンのある製品の組み立て手順の説明に本発明を利用することもできる。この場合、基本となる組み立て手順を説明したコンテンツをまず作成し、それを編集することで、各バージョンに対応した組み立て手順の説明用コンテンツを作成することができる。
【０１４０】
この際、図１に示すシステムを用いた説明を行いながら、順次各バージョンの組み立て手順の説明用コンテンツを作成することができる。つまり、各バージョンの組み立て手順の説明を行うのと同時に、その説明用コンテンツを作成することができる。こうして、質の高い説明が行えるのと同時に、説明用資料の作成労力の軽減や、説明時における説明者の負担を軽減することができる。
【０１４１】
（具体例２）
以下、本発明を製品の取り扱いマニュアルの作成に利用する場合の例を説明する。ここでは、画像と音声とによる取り扱いマニュアルを作成する場合の例を説明する。この場合、図１に示すシステムを用いて、スクリーン１４２に、画像を投影しながら、説明を加え、１次コンテンツを作成する。
【０１４２】
そして、資料提示装置１０１を用いて、この１次コンテンツを再生しながら、必要な部分の画像や説明を差し替える（あるいはカット）することで、マニュアルの改訂版（２次コンテンツ）を作成することができる。この作業は、画像と音声とを用いた１次コンテンツの再生を行いながら行うことができるので、少ない労力で効果的に行うことができる。
【０１４３】
また同じ手法により、基本構造や基本機能が同じで、上位機種、下位機種があるような製品の取扱マニュアルを作成することも容易に行うことができる。例えば、まず下位機種に関する取り扱い説明書を作成し、つぎにそれを図１に示すシステムで再生し、スクリーン１４２に画像投影しつつ、同時に説明の音声を再生させながら編集作業を行う。この際、上位機種で必要とされる機能等の説明文および図面等の追加や差し替えを行うことで、上位機種の取り扱いマニュアルを作成することができる。
【０１４４】
ここで説明した手法は、工作機械の取り扱い説明書、各種のテキスト、各種の手引き等の作成に利用することができる。
【０１４５】
（具体例３）
学校での授業において、同じ授業内容の授業を複数のクラスに対して行う場合がある。例えば、３つのクラスを受け持っている教師は、この３つのクラスのそれぞれに対して、同じ内容を教えることになる。このような場合に、図１に示すプレゼンテーションシステムを利用すると、より効果的に、そしてより効率的に授業を行うことができる。以下、この例を説明する。
【０１４６】
まず、最初のクラスの授業において、資料提示装置１０１を用いた視聴覚教育を行う。この場合、スクリーン１４２に授業内容に関する資料等を表示し、それを指し示しながら、教師は授業を行う。この際、スクリーン１４２に投影された画像は、リアルタイム画像データとしてコンテンツ作成装置１２０に入力される。また教師の口頭での説明は、マイク１４２によって検出され、そのリアルタイム音声データは、コンテンツ作成装置１２０に入力される。そして、このリアルタイム画像データとリアルタイム音声データとは関連付けされて、授業コンテンツとしてコンテンツ作成装置１２０内に記憶される。
【０１４７】
この授業コンテンツを再生すると、上記授業内容と同じ内容が再現される。すなわち、最初行われ授業と同じように、スクリーン１４２に資料が提示され、その説明音声が再生される。例えば、２番目のクラスの授業に際して、最初のクラスに対して行われた授業コンテンツを再生することで、同じ授業内容を教えることができる。
【０１４８】
この際、２回目の授業を行いながら、授業内容を修正し、さらに質を高めた授業コンテンツを得ることができる。以下、図１に示すシステムを用いて、２回目の授業を行う例を説明する。まず、教師は、資料提示装置１０１を操作し、１回目の授業を記憶した授業コンテンツを検索する。例えば、ディスプレイ１１５にコンテンツ作成装置１２０に記憶されているコンテンツのインデックスの一覧を表示し、その中から１回目の授業の結果得られた授業コンテンツ（授業コンテンツ１）を選択する。
【０１４９】
授業コンテンツ１を選択したら、それを再生する操作を行う。この操作は、制御スイッチ群１０５を操作することで行われる。この際、コンテンツ作成装置１２０内のハードディスク装置１２５から授業コンテンツ１のコンテンツ内容データが読み出される。このデータは、ＵＳＢケーブル１５０を介して、資料提示装置１０１に送られる。資料提示装置１０１は、コンテンツ作成装置１２０から送られてきたコンテンツ内容データをリアルタイム画像信号およびリアルタイム音声信号として、コンテンツ作成装置１２０に送り返す。
【０１５０】
コンテンツ作成装置１２０に送られた授業コンテンツ１のコンテンツ内容データは、ハードディスク装置１２５に授業コンテンツ２として授業コンテンツ１とは別ファイルとして記憶される。また、授業コンテンツ１のコンテンツ内容データに含まれるリアルタイム画像信号は、コンテンツ作成装置１２０から、投影装置１４１に送られ、またリアルタイム音声信号はスピーカ１５１に送られる。そして、１回目の授業と同じ内容が再生される。
【０１５１】
ここで教師が１回目の授業内容におけるある部分の説明が不十分であり、その説明をやり直したいとする。この場合、その部分の再生タイミングがきたら、教師は、操作スイッチ群１０５を操作して、音声の再生を停止する。この場合、音声の再生を停止しても画像の再生はそのまま行われるので、教師は、その画像を見ながら、新たな説明を加えることができる。
【０１５２】
新たな説明は、マイク１４３により検出され、資料提示装置１０１からコンテンツ作成装置１２０に送られる。この新たな説明のリアルタイム音声信号は、説明が行われるタイミングでスクリーン１４２に映し出されていた画像のリアルタイム画像信号に関連付けられ、授業コンテンツ２の続きとしてハードディスク装置１２５に記憶される。また、この授業コンテンツ２の画像は、スクリーン１４２に投影され、同時にその説明音声がリアルタイムにスピーカ１５１から再生される。
【０１５３】
やり直したい説明が終了したら、スクリーンに投影されている画像の表示タイミングに合わせて、音声の再生停止処理を解除する。これにより、授業コンテンツ１における音声の再生が、復活する。この際、スクリーンに投影されている画像にタイミングを合わせた内容の音声が再生される。
【０１５４】
こうして、１次コンテンツを再生することによる２度目の授業を行いながら、同時にこの１次コンテンツに対して部分的に修正を加えた授業を行うことができる。また、この２回目の授業内容は、２次コンテンツとしてハードディスク装置に記憶され、１次コンテンツと同様に利用することができる。
【０１５５】
この手法を用いることで、複数クラスに対して授業を行うに際して、教師の負担を軽減することができる。
【０１５６】
また、上述した手法は、習熟度別のクラス編成がなされている教科の授業に利用することもできる。以下、基礎コース、応用コース、発展コースと習熟度別にクラス編成された数学の授業に上記手法を応用する例を説明する。
【０１５７】
まず基礎的な内容に関する授業をまず行い、それを１次コンテンツとする。そして、その１次コンテンツを再生しつつ授業を行い、中程度な解法の説明や応用問題に関する説明を加えた２次コンテンツを作成する。さらにこの２次コンテンツを用いて授業を行い、より高度な解法や応用問題に関する解説を加えた３次コンテンツを作成する。こうして、基礎コース用の１次コンテンツ、応用コース用の２次コンテンツ、発展コース用の３次コンテンツを効率的に作成することができる。
【産業上の利用可能性】
【０１５８】
本発明は、講演会、セミナー、各種の授業に利用することができる。また本発明は、テキストや取り扱い説明書の作成に利用することができる。
【図面の簡単な説明】
【０１５９】
【図１】本発明を利用したプレゼンテーションシステムの概要を示すイメージ図である。
【図２】資料提示装置の機能を説明するためのブロック図である。
【図３】発明を利用したコンテンツ作成装置の機能を説明するブロック図である。
【符号の説明】
【０１６０】
１０１…資料提示装置、１０２…撮像装置、１０３…アーム、１０４…資料載置台、１０５…制御スイッチ群、１０６…資料、１０７…資料固有データ読み取り装置、１０８…画像取り込み装置、１０９…中央制御装置、１１０…データ記憶装置、１１１…アナログ画像信号変換装置、１１２…アナログ音声信号変換装置、１１３…ＵＳＢインターフェース装置、１１４…載置検出装置、１１５…ディスプレイ、１２０…コンテンツ作成装置、１２１…画像データ圧縮装置、１２２…音声データ圧縮装置、１２３…編集対象データ作成装置、１２４…データ書き込み／読み出し装置、１２５…ハードディスク装置、１２６…バッファメモリ、１２７…データ編集装置、１２８…編集制御装置、１２９…バッファメモリ、１４１…投影装置、１４２…スクリーン、１４３…マイクロフォン、１４４…画像信号伝送ケーブル、１４５…音声信号伝送ケーブル、１４６…音声信号伝送ケーブル、１４７…画像信号伝送ケーブル、１４８…スピーカケーブル、１４９…ＵＳＢインターフェース装置、１５０…ＵＳＢケーブル、１５１…スピーカ、１５２…ＵＳＢ接続端子、１５３…ＬＡＮインターフェース装置、１５４…ＬＡＮ接続端子。
【図１】
2006229592.tif 000003
【図２】
2006229592.tif 000004
【図３】
2006229592.tif 000005